(57)【要約】【課題】  防水層の立ち上がり部の施工スペースを確保しつつ、その立ち上がり部に雨水などが飛散したり押し上げられたりするのを防止できるバルコニー防水構造および防水プレート並びにバルコニー防水構造の構築方法を提供する。【解決手段】  サッシ７の下枠８の下方位置でかつ、バルコニー１の基端側の壁面から所定の間隔を隔てた位置に、バルコニー１の床面２に立設する防水プレート２１を設け、この防水プレート２１は、床面２から上方に立ち上がる立上り部２３と、床面２に沿って広がる定着部２４とを備え、さらに、防水プレート２１は、バルコニー１の床下地材３を覆うとともにバルコニー１の基端側の壁面に沿って立ち上がるように形成された第一防水層４ａ上に設けられ、第一防水層４ａの上面には、防水プレート２１よりも先端側を覆うとともに防水プレート２１の前面に沿って立ち上がる第二防水層４ｂが形成された。【選択図】      図１
2007046283.tif 000002
【特許請求の範囲】
【請求項１】
サッシが設けられたバルコニーの防水構造において、
前記サッシの下枠の下方位置でかつ前記バルコニーの基端側の壁面から所定の間隔を隔てた位置に、前記バルコニーの床面に立設する防水プレートを設けた
ことを特徴とするバルコニー防水構造。
【請求項２】
前記防水プレートは、前記バルコニーの床下地材を覆うとともに前記バルコニーの基端側の壁面に沿って立ち上がるように形成された第一防水層上に設けられ、
前記第一防水層の上面には、前記防水プレートよりも先端側を覆うとともに前記防水プレートの前面に沿って立ち上がる第二防水層が形成された
ことを特徴とする請求項１に記載のバルコニー防水構造。
【請求項３】
前記防水プレートは、前記床面から上方に立ち上がる立上り部と、前記床面に沿って広がる定着部と備えた
ことを特徴とする請求項１または請求項２に記載のバルコニー防水構造。
【請求項４】
前記防水プレートは、その上端に前記バルコニーの先端側に向かって折り返された水返し部を備えた
ことを特徴とする請求項１乃至請求項３のいずれか一項に記載のバルコニー防水構造。
【請求項５】
前記防水プレートの定着部には、前記第一防水層および前記第二防水層を挿通させるための定着用孔が形成された
ことを特徴とする請求項３または請求項４に記載のバルコニー防水構造。
【請求項６】
前記防水プレートは、前記第一防水層および第二防水層と同質もしくは同等の耐久性を有する樹脂類を基材として形成された
ことを特徴とする請求項２乃至請求項５のいずれか一項に記載のバルコニー防水構造。
【請求項７】
前記サッシの下枠には、下方に垂れ下がる水切り板が形成されており、
前記防水プレートは、その上端部が前記水切り板の下端部よりも高い位置に配置されるように形成された
ことを特徴とする請求項１乃至請求項６のいずれか一項に記載のバルコニー防水構造。
【請求項８】
サッシが設けられたバルコニーの防水構造に用いられる防水プレートであって、
前記サッシの下枠の下方位置であってかつ前記バルコニーの基端側の壁面から所定の間隔を隔てた位置に前記バルコニーの床面から上方に立ち上がる立上り部と、
前記立上り部の下端に連続して形成され前記バルコニーの床面に沿って広がる定着部と、を備えた
ことを特徴とする防水プレート。
【請求項９】
サッシが設けられたバルコニーの防水構造の構築方法において、
前記バルコニーの床面に、当該床面を覆うとともに前記バルコニーの基端側の壁面に沿って立ち上がるように第一防水層を形成する第一防水層形成工程と、
前記第一防水層が硬化する前に、当該第一防水層上で前記サッシの下枠の下方位置でかつ前記バルコニーの基端側の壁面から所定の間隔を隔てた位置に防水プレートを立設する防水プレート設置工程と、
前記第一防水層の上面に、前記防水プレートよりも先端側を覆うとともに前記防水プレートの前面に沿って立ち上がる第二防水層を形成する第二防水層形成工程と、を備えた
ことを特徴とするバルコニー防水構造の構築方法。
【発明の詳細な説明】
【技術分野】
【０００１】
本発明は、バルコニーの防水構造および防水プレート並びにバルコニー防水構造の構築方法に関する。
【背景技術】
【０００２】
一般に、窓などに用いられるサッシは、一対の縦枠と上枠と下枠とを備えており、下枠には外側端部から下方に延出する板状の水切り部材が形成されている（例えば、特許文献１参照）。この水切り部材によって、サッシ前面から流れた雨水が、下枠から落下し、下枠の下面に流れ込むのを防止している。
【０００３】
前記構成と同様のサッシをバルコニーの窓用サッシとして利用した場合、バルコニーのサッシの下部の納まりは、図５に示すような構造となる。図示するように、サッシ５１の下方には、水勾配が設けられたバルコニー５２の床面５３が位置する。床面５３は、板状の下地材５４の表面に防水層５５が塗布されて構成されている。防水層５５は、複数の層に分けて塗布されており、バルコニー５２の基端部５６で、壁下地材５７に沿って上方に立ち上がり、固定されている。防水層５５の上端部には、コーキング５８などのシールが施されている。
【特許文献１】特開平８−１７７３３２号公報（図１）
【発明の開示】
【発明が解決しようとする課題】
【０００４】
ところで、近年、バリアフリーの要請から、バルコニー５２の床面５３と、室内の床面５９との段差を小さくすることが求められている。また、バルコニー５２は、水勾配を必要とするため、基端側の床面５３のレベルが高くなっている。そのため、サッシ５１の下枠６１とバルコニー５２の床面（防水面）５３との隔離寸法が小さいため、下枠６１下部の奥（バルコニー５２の基端部５６）に形成される防水層５５の立ち上がり部６２を施工する際のスペースが狭く、その施工作業が困難である。これによって、立ち上がり部６２の施工（防水層５５の塗布やコーキング５８など）品質が一定となりにくく、品質にバラつきが発生してしまう問題があった。また、施工作業後の目視確認も難しく、品質確保上問題となっていた。
【０００５】
そのため、バルコニー５２で用いられるサッシ５１は、下枠６１の下部に形成される水切り部材６３の垂れ下がり長さを最小（例えば、１５ｍｍ程度）にして、少しでも防水層５５の立ち上がり部６２の施工スペースを大きくして、防水層５５の立ち上がり部６２の品質のバラつきを小さくするようにしていた。
【０００６】
しかしながら、前記のサッシ５１の構成では、台風などの強風時に、サッシ５１の前面を流れた雨水やサッシ５１の下方に降り注いだ雨水が、強風の風圧によって防水上の弱点部である防水層５５の立ち上がり部６２に飛散してしまい、好ましくなかった。
【０００７】
また、近年は、大面積のルーフバルコニーのニーズが高く、防水層５５の立ち上がり部６２は、風雨の影響をより受けやすい状況となっている。すなわち、バルコニー５２の床面５３に流れた大量の雨水が、風圧によって水勾配を逆流し、防水層５５の立ち上がり部６２に押し上げられてしまう場合があった。
【０００８】
そこで、本発明は、前記の問題を解決するためになされたものであり、防水層の立ち上がり部の施工スペースを確保しつつ、その立ち上がり部に雨水などが飛散したり押し上げられたりするのを防止できるバルコニー防水構造および防水プレート並びにバルコニー防水構造の構築方法を提供することを課題とする。
【課題を解決するための手段】
【０００９】
前記課題を解決するための請求項１に係る発明は、サッシが設けられたバルコニーの防水構造において、前記サッシの下枠の下方位置でかつ前記バルコニーの基端側の壁面から所定の間隔を隔てた位置に、前記バルコニーの床面に立設する防水プレートを設けた、ことを特徴とするバルコニー防水構造である。
【００１０】
前記構成によれば、防水プレートを設けたことによって、下枠の水切り板を必要最小限の長さにできるので、その下方の防水層の施工スペースを確保することができ、防水層の立ち上がり部の施工性が向上し、その品質を高めることができる。また、サッシの前面を流れた雨水やサッシの下方に降り注いだ雨水が、強風の風圧によってサッシの下枠の下方に吹き込んでも、防水プレートで止めることができ、防水上の弱点部である防水層の立ち上がり部に飛散することはない。さらに、バルコニーの床面に流れた雨水が、風圧によって、下枠の下方に逆流しても、防水プレートで堰き止めることができ、防水層の立ち上がり部に雨水が達することはない。
【００１１】
請求項２に係る発明は、前記防水プレートが、前記バルコニーの床下地材を覆うとともに前記バルコニーの基端側の壁面に沿って立ち上がるように形成された第一防水層上に設けられ、前記第一防水層の上面には、前記防水プレートよりも先端側を覆うとともに前記防水プレートの前面に沿って立ち上がる第二防水層が形成されたことを特徴とする請求項１に記載のバルコニー防水構造である。
【００１２】
前記構成によれば、防水プレートの下端部の防水性を高めることができる。
【００１３】
請求項３に係る発明は、前記防水プレートが、前記床面から上方に立ち上がる立上り部と、前記床面に沿って広がる定着部とを備えたことを特徴とする請求項１または請求項２に記載のバルコニー防水構造である。
【００１４】
前記構成によれば、防水プレートとバルコニー床面との接合強度を高めることができるので、台風時などの風圧が防水プレートにかかっても防水プレートが倒れることはない。
【００１５】
請求項４に係る発明は、前記防水プレートが、その上端に前記バルコニーの先端側に向かって折り返された水返し部を備えたことを特徴とする請求項１乃至請求項３のいずれか一項に記載のバルコニー防水構造である。
【００１６】
前記構成によれば、雨水が防水プレートを逆流するような強風が発生したとしても、雨水は、水返し部で確実に折り返されて前方に落下するので、防水層の立ち上がり部に達することはない。
【００１７】
請求項５に係る発明は、前記防水プレートの定着部には、前記第一防水層および前記第二防水層を挿通させるための定着用孔が形成されたことを特徴とする請求項３または請求項４に記載のバルコニー防水構造である。
【００１８】
前記構成によれば、第一防水層および第二防水層が定着用孔に挿入することで、防水プレートと噛み合い、防水プレートと各防水層との接合性が大幅に向上する。
【００１９】
請求項６に係る発明は、前記防水プレートが、前記第一防水層および第二防水層と同質もしくは同等の耐久性を有する樹脂類を基材として形成されたことを特徴とする請求項２乃至請求項５のいずれか一項に記載のバルコニー防水構造である。
【００２０】
前記構成によれば、防水プレートと第一および第二防水層、両方との接着性が高く、また、日射などの熱によって変形した場合にその変形率が同等であるので、第一および第二防水層が破れることはない。
【００２１】
請求項７に係る発明は、前記サッシの下枠には、下方に垂れ下がる水切り板が形成されており、前記防水プレートは、その上端部が前記水切り板の下端部よりも高い位置に配置されるように形成されたことを特徴とする請求項１乃至請求項６のいずれか一項に記載のバルコニー防水構造である。
【００２２】
前記構成によれば、雨水を防水プレートで確実に堰き止めることができ、雨水が防水層の立ち上がり部に達することはない。
【００２３】
請求項８に係る発明は、サッシが設けられたバルコニーの防水構造に用いられる防水プレートであって、前記サッシの下枠の下方位置であってかつ前記バルコニーの基端側の壁面から所定の間隔を隔てた位置に前記バルコニーの床面から上方に立ち上がる立上り部と、前記立上り部の下端に連続して形成され前記バルコニーの床面に沿って広がる定着部と、を備えたことを特徴とする防水プレートである。
【００２４】
請求項９に係る発明は、サッシが設けられたバルコニーの防水構造の構築方法において、前記バルコニーの床面に、当該床面を覆うとともに前記バルコニーの基端側の壁面に沿って立ち上がるように第一防水層を形成する第一防水層形成工程と、前記第一防水層が乾く前に、当該第一防水層上で前記サッシの下枠の下方位置でかつ前記バルコニーの基端側の壁面から所定の間隔を隔てた位置に防水プレートを立設する防水プレート設置工程と、前記第一防水層の上面に、前記防水プレートよりも先端側を覆うとともに前記防水プレートの前面に沿って立ち上がる第二防水層を形成する第二防水層形成工程と、を備えたことを特徴とするバルコニー防水構造の構築方法である。
【００２５】
前記方法によれば、防水プレートは、第一防水層と第二防水層の両方に強固に固着され、バルコニーの床面に対する接合性が大幅に向上する。
【発明の効果】
【００２６】
本発明によれば、防水層の立ち上がり部の施工スペースを確保しつつ、その立ち上がり部に雨水などが飛散したり押し上げられたりするのを防止できるといった優れた効果を発揮する。
【発明を実施するための最良の形態】
【００２７】
本発明を実施するための第１実施形態について図面を参照して詳細に説明する。説明において、同一の要素には同一の番号を付し、重複する説明は省略する。
【００２８】
［第１実施形態］
図１は、本発明に係るバルコニー防水構造を実施するための最良の第１の実施の形態を示した断面図である。なお、本実施の形態では、バルコニーに掃き出し窓用のサッシが設けられた場合を例に挙げて説明する。
【００２９】
まず、かかるバルコニー防水構造およびこれに用いられる防水プレートの構成について説明する。
【００３０】
図１に示すように、バルコニー１は、壁面から延出した片持ち梁（図示せず）に支持された板状の床下地材３を備えている。床下地材３は、雨水などの水を排水すべく、バルコニー１の先端側が下がるように傾斜されて片持ち梁に固定されている。床下地材３の表面には、防水層４が所定の厚さに塗布されて床面２が形成されている。防水層４は、プライマーを床下地材３の表面に塗った上に塗布される第一防水層４ａと、第一防水層４ａの上面に塗布される第二防水層４ｂとで構成されている。第一防水層４ａが下塗り層となり、第二防水層４ｂが上塗り層となる。
【００３１】
第一防水層４ａは、バルコニー１の床面３１の全体に亘って床下地材３を覆うとともにバルコニー１の基端側の壁面に沿って立ち上がるように塗布されて形成されている。第一防水層４ａの立ち上がり部５ａは、板状の外壁下地材６にプライマーを塗った上に塗布されて形成されている。第二防水層４ｂは、第一防水層４ａの上面に塗布されて形成されている。このように、防水層４は、二度塗りされて所定の厚さを確保し、必要な防水性能を得るようになっている。
【００３２】
バルコニー１に設けられた掃き出し窓用のサッシ７は、アルミニウムやステンレスなどの材質で構成された一対の縦枠（図示せず）と上枠（図示せず）と下枠８とを備えている。下枠８の下面は、前側に向かうに連れて下方に下がるように傾斜して形成されている。なお、下枠８の下面は水平であってもよい。下枠８の下面の後端部（室内側端部）には、外壁下地材６に当接する取付プレート９が形成されており、ビス１１などの締結手段により、下枠８を外壁下地材６および下地受材１２に固定するようになっている。
【００３３】
下枠８の下面の前端部には、下方に延出する板状の水切り板１４が形成されている。水切り板１４は、サッシ７の幅全長（下枠８の全長）に亘って形成されている。水切り板１４は、その前面が下枠８の前面と面一となるように構成されている。水切り板１４の垂れ下がり長さは、例えば、１５ｍｍ程度となっており、サッシ７のガラス面（前面）などから流れた雨水を、サッシ７の下方のバルコニー１の防水層４上に落下させるようになっている。
【００３４】
なお、下枠８の上面には、サッシ７の幅方向に延びるガイドレール１５が複数形成されており、これらのガイドレール１５上には、窓１６と網戸１７が、それぞれスライド自在に設けられている。なお、図１中、１８は、室内の床材を示す。
【００３５】
ところで、本発明は、サッシ７の下枠８の下方位置でかつ、バルコニー１の基端側（後側）の壁面から所定の間隔を隔てた位置に、バルコニー１の床面２に立設する防水プレート２１を設けたことを特徴とする。防水プレート２１は、サッシ７の下枠８の全長に亘って延びている。防水プレート２１は、立上り部２３が少なくとも外壁下地材６に形成される外壁（例えば、ラス貼りの上にモルタル塗りしてなる外壁）の仕上げ面２２の位置よりも奥（後側）に位置するように配置されている。本実施の形態では、防水プレート２１は、立上り部２３が外壁の仕上げ面２２と略面一になるように配置されている。
【００３６】
防水プレート２１は、第一防水層４ａおよび第二防水層４ｂと同質もしくは同等の耐久性を有する樹脂類（例えば、ウレタン、ＦＲＰ、アクリルゴム、クロロプレンゴム、塩化ビニル、アクリルなど）を基材として形成されている。なお、防水プレートを、アルミなどの金属類で形成して、その表面に防水材との接着強度を確保するための処理を施すようにしてもよい。防水プレート２１は、床面２から上方に立ち上がる立上り部２３と、床面２に沿って広がる定着部２４とを一体的に形成して構成されている。本実施の形態では、立上り部２３の下端部に、サッシ７の前面側一方向に延出するように定着部２４が形成されている。すなわち、防水プレート２１は断面Ｌ字状に形成されている。
【００３７】
防水プレート２１の立上り部２３は、サッシ７の下枠８とバルコニー１の床面２との離間寸法に応じて立上り高さが決められている。立上り部２３は、例えば、３０〜６０ｍｍの立上り高さを有しており、立上り部２３の上端部が、下枠８に形成された水切り板１４の下端部よりも高い位置に配置されるように構成されている。
【００３８】
防水プレート２１の立上り部２３の上端には、バルコニー１の先端側に向かって折り返された水返し部２５が形成されている。水返し部２５は、前方に３〜１０ｍｍの長さで延出しており、強風により立上り部２３に沿って吹き上げられた雨水を、堰き止めて、バルコニー１の前方に折り返させるようになっている。
【００３９】
防水プレート２１の定着部２４は、第一防水層４ａ上に設けられている。第一防水層４ａは、バルコニー１の床下地材３を覆うとともに、バルコニー１の基端側の壁面に沿って立ち上がるように形成されている。第一防水層４ａの立ち上がり部５ａの上端部には、サッシ７の下枠８の下端面の内側端部を覆うようにコーキング２６が施されている。第一防水層４ａの上面には、防水プレート２１よりも先端側を覆う第二防水層４ｂが塗布されている。
【００４０】
第二防水層４ｂは、定着部２４の上面に塗布されるとともに、立上り部２３の前面に塗布され、立上り部２３の前面に沿って立ち上がるように構成されている。定着部２４は、３０〜６０ｍｍの幅で形成されており、所定の面積で第一防水層４ａと第二防水層４ｂとに挟まれて、防水層４に一体的に接着されている。立上り部２３および定着部２４の表面には、プライマーが塗布されており、第一防水層４ａおよび第二防水層４ｂとの接着性を高めている。なお、防水プレート２１の表面にサンディング処理を施して、防水層４との接着性を高めてもよく、さらに、サイディング処理とプライマー塗布とを併用するようにしてもよい。以上のように、定着部２４が第一防水層４ａと、第二防水層４ｂ間に一体的に接着されることで、防水プレート２１は、防水層４に一体化されている。
【００４１】
第二防水層４ｂは、立上り部２３の上端に形成された水返し部２５の内側（下面）にも塗布されており、バルコニー１の先端側に向かって折り返されて形成されている。これによって、防水プレート２１と第二防水層４ｂとの間に雨水が浸入するのを防止でき、防水性が高められている。
【００４２】
次に、前記構成のバルコニー防水構造の構築方法を説明しながら、その作用を説明する。
【００４３】
前記構成のバルコニー防水構造を構築するに際しては、まず、バルコニー１の床面２の床下地材３およびサッシ７の下方の外壁下地材６の表面にプライマー（図示せず）を塗布し、そのプライマー上に第一防水層４ａを塗布する（第一防水層形成工程）。第一防水層４ａは、床下地材３を覆うとともに、バルコニー１の基端側の壁面（サッシ７の下部の外壁下地材６）に沿って立ち上がるように塗布する。
【００４４】
このとき、サッシ７の下枠８の下方に防水プレート２１が後の工程で取り付けられるので、下枠８の下端には必要最小限の寸法の水切り板１４が形成されていればよい。したがって、下枠８とバルコニー１の床面２との隔離寸法を最大限、大きくすることができる。そして、防水層４の施工時には、防水プレート２１は取り付けられていないので、下枠８の下方に、第一防水層４ａの立ち上がり部５ａの施工スペースを確保することができる。これによって、第一防水層４ａの施工性が高くなり、立ち上がり部５ａの品質を高めて均一化することができる。
【００４５】
さらには、第一防水層４ａの立ち上がり部５ａの施工状態を目視確認することができるので、万一、施工不具合があった場合には、それを発見・補修することができるので、防水層４の品質確保が可能となる。
【００４６】
その後、サッシ７の下枠８の下方位置でかつバルコニー１の基端側の壁面から所定の間隔を隔てた位置の第一防水層４ａの上面に、防水プレート２１を設置する。ここで、バルコニー１の基端側の壁面から所定の間隔を隔てた位置とは、防水プレート２１の立上り部２３が外壁の仕上げ面２２に略沿うように配置される位置である。防水プレート２１は、サッシ７の下枠８の前面から、その水切り板１４の下部を回し込むように、下枠８の下方に挿入し、第一防水層４ａ上に載置する。防水プレート２１の設置は、第一防水層４ａが乾いて硬化する前、すなわち未硬化の時点で行う（防水プレート設置工程）。このように、第一防水層４ａが乾いて固まる前に防水プレート２１を載置することで、防水プレート２１が第一防水層４ａに食い込んで、その状態で第一防水層４ａが硬化する。これによって、第一防水層４ａと防水プレート２１の定着部２４との接着性を高めることができる。
【００４７】
防水プレート２１の設置が完了したならば、第一防水層４ａの上面に、第二防水層４ｂを塗布する。第二防水層４ｂは、防水プレート２１よりも先端側（前側）の第一防水層４ａを覆うとともに、防水プレート２１の前面に沿って立ち上がるように塗布される（第二防水層形成工程）。第二防水層４ｂは、防水プレート２１の立上り部２３の前面および水返し部２５の下面にも塗布されており、バルコニー１の先端側に向かって折り返されて形成されている。
【００４８】
以上の工程が終了して、第二防水層４ｂが乾いて硬化したら、バルコニー防水構造の構築が完了する。
【００４９】
以上の構築工程によれば、バルコニー１の防水層４を形成する工程の途中に、防水プレート２１を設置する工程を入れるだけで、かかるバルコニー防水構造を構築することができる。また、防水プレート２１の設置工程も、下枠８の下方から回し込むように挿入するだけであるので、その施工は非常に容易に行うことができる。
【００５０】
防水プレート２１は、形状が単純で製造が容易であり、また、部材も安価であるので、経済的に優れている。また、立上り部２３の長さを調整することで、種々のバルコニーに対応することができ、汎用性が高い。
【００５１】
さらに、前記構築方法によれば、防水プレート２１を、第二防水層４ｂのみならず、第一防水層４ａにも強固に固着することができ、バルコニー１の床面２に対する防水プレート２１の接合性が大幅に向上する。
【００５２】
前記構成のバルコニー防水構造によれば、防水プレート２１をバルコニー１の床面２に立設したことによって、サッシ７の前面を流れた雨水やサッシ７の下方に降り注いだ雨水が、強風の風圧によってサッシ７の下枠８の下方に吹き込んでも、防水プレート２１で堰き止めることができる。したがって、防水上の弱点部である防水層４の立ち上がり部（第一防水層４ａの立ち上がり部５ａ）に、雨水が飛散することはない。また、バルコニー１の床面２に流れた雨水などが、風圧によって、下枠８の下方にまで逆流しても、防水プレート２１で堰き止めることができ、雨水が第一防水層４ａの立ち上がり部５ａに達するのを防止することができる。以上のように、防水上の欠点となりやすい第一防水層４の立ち上がり部５ａへの防水負荷を無くすことができるので、雨漏りを確実に防止できる。
【００５３】
防水プレート２１は、立上り部２３が外壁の仕上げ面２２の位置に面一になるように配置されているので、サッシ７の側部から雨水が吹き込んでも、第一防水層４ａの立ち上がり部５ａに雨水が飛散するのを防止できる。なお、防水プレート２１をさらに奥の方に設置するようにしてもよい。このようにすれば、つま先によって防水プレート２１を蹴り込んでしまう可能性を低減することができる。
【００５４】
また、防水プレート２１は、立上り部２３と定着部２４とを備えており、第一防水層４ａと、第二防水層４ｂとの間に一体的に形成されているので、防水層４との接着性（接合強度）を高めることができる。これによって、雨水を堰き止めるだけではなく、サッシ７の下方に吹き込む風の風圧に対抗することができ、台風時などの風圧が防水プレート２１にかかっても防水プレート２１が倒れることはない。
【００５５】
さらに、かかるバルコニー防水構造は、通常のバルコニー１の防水層４に加えて、防水プレート２１を備えた二重の防水部材を備えているので、防水性能を大幅に向上させることができる。また、防水層４の施工スペース確保による品質向上と、立ち上がり部５ａへの雨水の飛散の防止といった作用を同時に得られるので、壁面内への雨水などの浸入を確実に防止でき、サッシ７の下方の防水層４の防水性が大幅に向上する。
【００５６】
そして、防水プレート２１の上端には、水返し部２５が形成されているので、雨水などが防水プレート２１を逆流するような強風が発生したとしても、雨水は、水返し部２５で確実に折り返されて、前方へと飛散されるので、第一防水層４ａの立ち上がり部５ａに達することはない。
【００５７】
防水プレート２１は、第一防水層４ａおよび第二防水層４ｂと同質もしくは同等の耐久性を有する樹脂類を基材として形成されているので、防水プレート２１と第一防水層４ａおよび第二防水層４ｂとの接着性を高くできる。また、日射などの熱によって防水層４や防水プレート２１が変形した場合に、その変形率が同等であるので、第一防水層４ａおよび第二防水層４ｂが破れることはない。
【００５８】
防水プレート２１は、その上端部が下枠８の水切り板１４の下端部よりも高い位置に配置されるように形成されているので、強風によって水切り板１４の下端から雨水が下枠８の下側に吹き込んだとしても、吹き込んだ雨水を防水プレート２１で確実に堰き止めることができる。したがって、雨水が第一防水層４ａの立ち上がり部５ａに達することはない。
【００５９】
また、前記構成のバルコニー防水構造によれば、経年変化時のメンテナンスによる再施工時には、サッシ７を変形させることなく防水層４の再施工が行えるので、施工効率が高い。さらに、防水プレート２１の取外しおよび取付けが容易に行える。すなわち、防水プレート２１の取外しは、防水層４を剥離することで同時に行え、一方、防水プレート２１の取り付けは、防水層４の塗布の際に、防水プレート２１を所定の位置に設置するだけで行えるので非常に効率的な施工が行える。
【００６０】
［第２実施形態］
図２は、本発明に係るバルコニー防水構造を実施するための最良の第２の実施の形態を示した防水プレートの拡大斜視図である。
【００６１】
図示するように、かかる防水プレート３１は、床面から上方に立ち上がる立上り部２３と、床面に沿って広がる定着部３２とを一体的に形成して構成されている。本実施の形態では、立上り部２３の下端部に、サッシの前面側および後面側の両方向に延出するように定着部３２が形成されている。すなわち、防水プレート３１は断面逆Ｔ字状に形成されている。
【００６２】
定着部３２は、図１の定着部２４と同様に、３０〜６０ｍｍの幅で形成されており、防水層４に一体的に接着されている。立上り部２３は、定着部３２の幅方向略中間部に位置するように形成されている。この場合、第二防水層は、立上り部２３よりも前面側の定着部３２の表面のみに塗布され、立上り部２３よりも後面側の定着部３２の表面には塗布されない。なお、立上り部２３の上部には、水返し部２５が形成されている。防水プレート３１の他の構成については、図１に示した第１実施形態と同様であるので、図示および説明を省略する。
【００６３】
このように、本実施の形態では、立上り部２３を、定着部３２の中間部に設けたことによって、立上り部２３がサッシの前面側から風圧を受けた際に、その風圧は、立上り部２３からその後側（室内側）の定着部３２に伝わって、バルコニーの床面へと伝達される。よって、風圧に対する抵抗力を向上させることができる。
【００６４】
［第３実施形態］
図３は、本発明に係るバルコニー防水構造を実施するための最良の第３の実施の形態を示した防水プレートの拡大斜視図である。
【００６５】
図示するように、かかる防水プレート３６は、定着部３７に、第一防水層および第二防水層を挿通させるための定着用孔３８が形成されたことを特徴とする。定着用孔３８は、定着部３７を貫通して、複数形成されており、例えば、千鳥状に配置されている。本実施の形態は、図２に示した第２実施形態と同様に、立上り部２３は、定着部３７の幅方向略中間部に形成されて、断面逆Ｔ字条を呈しているが、これに限られるものではなく、図１に示した第１実施形態のように断面Ｌ字条を呈していてもよく、さらに他の形状であってもよい。
【００６６】
前記構成によれば、防水プレート３６を第一防水層上に載置したときに、第一防水層が定着用孔３８の下側から挿入して防水プレート３６と噛み合う。よって、防水プレート３６と第一防水層との接合性が高くなる。そして、第二防水層を防水プレート３６に塗布した際には、第二防水層が定着用孔３８の上側から挿入して防水プレート３６と噛み合う。よって、防水プレート３６と第二防水層との接合性が高くなる。このように、防水プレート３６は、第一防水層および第二防水層との接合性が高くなるので、防水プレート３６は、防水層と一体的に固定され、防水プレート３６のバルコニーとの接合性が大幅に向上する。
【００６７】
なお、定着用孔は、貫通孔に限られるものではなく、定着部３７の上面および下面にそれぞれ凹部として形成するようにしてもよい。
【００６８】
［第４実施形態］
図４は、本発明に係るバルコニー防水構造を実施するための最良の第４の実施の形態を示した断面図である。
【００６９】
図示するように、かかるバルコニー防水構造は、図１に示した第１実施形態に加えて、サッシ７の両端下端面に、サッシ７の前後方向に延びる水切り部材４１をそれぞれ設けたことを特徴とする。この水切り部材４１は、サッシ７の縦枠の側面を伝ってくる雨水が、縦枠の下端部から下枠８の下面へ流れ込むのを防止するものである。なお、図４では、水切り部材４１がサッシ７の中心側より見えている。
【００７０】
水切り部材４１は、下方に垂れ下がる垂下部４３と、サッシ７の両端下端面（一対の縦枠（図示せず）の下端面または下枠８の両端下端面）に当接する接合面部４４とを備えた断面逆Ｌ字状の板材にて構成されている。垂下部４３の前端縁は、下枠８の前端面に形成された水切り板１４の裏面（後側面）に当接するように構成されている。接合面部４４には、両面テープからなる接合テープ４５が貼り付けられ、この接合テープ４５によって、水切り部材４１がサッシ７の両端下端面に固定されている。
【００７１】
前記構成のバルコニー防水構造によれば、サッシ７の前面から第一防水層４ａの立ち上がり部５ａへの雨水の浸入を防止できるのみならず、サッシ７の側面からの雨水の浸入をも防止でき、サッシ７周りの防水性が大幅に向上する。
【００７２】
本実施の形態では、水切り部材４１の垂下部４３は、下枠８の水切り板１４の下端部と略同等の垂れ下がり長さとなっているが、垂下部をさらに下方（例えば、バルコニー１の床面２近傍）にまで延出するようにしてもよい。これによれば、サッシ７の側部からの雨水の吹き込みや吹き上げを防止することができる。
【００７３】
［第５実施形態］
図５は、本発明に係るバルコニー防水構造を実施するための最良の第５の実施の形態を示した断面図である。
【００７４】
図示するように、かかるバルコニー防水構造は、図１に示した第１実施形態に加えて、サッシ７の下枠８の下面に設けられる前面水切り部材４６を設けたことを特徴とする。
【００７５】
前面水切り部材４６は、下方に垂れ下がる垂下部４７と、下枠８の下面に当接する転び防止部４８とを備えた断面逆Ｌ字状の板材にて構成されている。前面水切り部材４６は、下枠８に着脱自在に固定されている。具体的には、垂下部４７が、ビス（図示せず）によって下枠８の水切り板１４に固定されている。ビスは、水切り板１４の前面から螺合されており、前面水切り部材４６の取り付けおよび取り外しを容易に行うことができる。
【００７６】
垂下部４７は、下枠８の水切り板１４よりも長い垂れ下がり長さを有して、例えば、防水プレート２１の立上り部２３の高さ方向中間部近傍まで延出している。垂下部４７は、防水プレート２１と合わせて二重の防水壁を構成し、下枠８の下方の防水層４の立ち上がり部５ａへの雨水の吹き込み防止性能を高めている。
【００７７】
転び防止部４８は、所定の幅を有して、下枠８の下面に当接している。前面水切り部材４６の垂下部４７には、風圧がかかったり、人の足先がぶつかったりして、外力がかかることが想定されるが、前面水切り部材４６は、転び防止部４８が下枠８の下面に当接しているので、垂下部４７にかかった外力を下枠８の下面に伝えることができ、前面水切り部材４６がバルコニー１の基端側に転ぶのを防止できる。
【００７８】
なお、前面水切り部材４６を垂下部４７のみで構成してもよい。この場合、水切り板１４との接合性を高めるためにビスの個数を増やす。
【００７９】
前記構成のサッシ防水構造４６によれば、サッシ７の側面のみならず、下枠８の下部からの雨水の流入を防止できるので、サッシ７および建物の防水性をさらに向上させることができる。
【００８０】
さらに、図５中、一点鎖線にて示すように、防水プレート２１の立上り部２３と前面水切り部材４６との間に、止水性能を有するシール材４９を設けてもよい。シール材４９は、不定形のシール材料を充填するか、あるいはエチレン・プロピレン・ジエンゴム（ＥＰＤＭ）などから構成される定形のシール材料を装着することで構成されている。前記構成によれば、防水プレート２１の立上り部２３と前面水切り部材４６との隙間を閉塞できるので、雨水の浸入を確実に防止でき、サッシ７および建物の防水性を大幅に向上させることができる。
【００８１】
以上、本発明を実施するための形態について説明したが、本発明は前記実施の形態に限定されず、本発明の趣旨を逸脱しない範囲で適宜設計変更が可能である。例えば、本実施の形態では、防水層４は、第一防水層４ａと第二防水層４ｂとを有する二度塗りのものであるが、これに限られるものではなく、求められる防水性能に応じて、例えば、下塗り、中塗りおよび上塗りを有する三度塗りの防水層、あるいは四度塗り以上の防水層であってもよい。この場合、防水プレートが設けられる位置は、防水プレートの上に少なくとも一層以上の防水層が形成される位置、すなわち、上塗り層よりも下側となる。
【００８２】
また、前記実施の形態では、掃き出し窓用のサッシを例に挙げて説明したが、これに限られるものではなく、通常の引き違い窓や嵌め殺し窓であっても、本発明を適用できるのは勿論である。
【図面の簡単な説明】
【００８３】
【図１】本発明に係るバルコニー防水構造を実施するための最良の第１の実施の形態を示した断面図である。
【図２】本発明に係るバルコニー防水構造を実施するための最良の第２の実施の形態を示した防水プレートの拡大斜視図である。
【図３】本発明に係るバルコニー防水構造を実施するための最良の第３の実施の形態を示した防水プレートの拡大斜視図である。
【図４】本発明に係るバルコニー防水構造を実施するための最良の第４の実施の形態を示した断面図である。
【図５】本発明に係るバルコニー防水構造を実施するための最良の第５の実施の形態を示した断面図である。
【図６】従来のバルコニー防水構造を示した断面図である。
【符号の説明】
【００８４】
１      バルコニー
２      床面
３      床下地材
４ａ    第一防水層
４ｂ    第二防水層
７      サッシ
１４    水切り板
２１    防水プレート
２３    立上り部
２４    定着部
２５    水返し部
３１    防水プレート
３２    定着部
３６    防水プレート
３７    定着部
３８    定着用孔
【図１】
2007046283.tif 000003
【図２】
2007046283.tif 000004
【図３】
2007046283.tif 000005
【図４】
2007046283.tif 000006
【図５】
2007046283.tif 000007
【図６】
2007046283.tif 000008